(57)【要約】【課題】複数種の光ディスクが複数収納し、任意の光ディスクを選択的に再生する所謂ディスクチェンジャー装置などで、映画などが記録されたＤＶＤなどのようにランダム再生の対象としない光ディスクが混在している場合に、ランダム再生などの特殊再生を開始するまでの時間を短縮する。【解決手段】複数の光ディスク１１各々について該光ディスク１１がＣＤかＤＶＤかなどの物理メディアを判別し、特殊再生を許可する物理メディアである場合はＴＯＣ情報などの特殊再生に必要な管理情報を該光ディスク１１から読み込んだのちに次の光ディスク１１の判定を行い、特殊再生を許可しない物理メディアである場合は直ちに次の光ディスク１１の判定を行い、特殊再生を許可されていると判別された光ディスク１１の管理情報に基づいて特殊再生を行うようにマイクロコンピュータ１０で制御する。【選択図】図１
2009059392.tif 000002
【特許請求の範囲】
【請求項１】
複数種の光ディスクを複数収納し、複数の前記光ディスクから任意に選択された前記光ディスクへレーザ光を照射してその反射光から読取信号を読み取る読取手段と、前記読取信号に基づいて情報を生成する情報生成手段と、を備える光ディスク再生装置において、
特殊再生の指示を行う指示手段と、
前記読取信号を基に複数の前記光ディスク各々が前記特殊再生を許可されているか否かを判別する特殊再生判別手段と、
前記情報生成手段が生成した情報から前記特殊再生を行うために必要な管理情報を読み込む管理情報読み込み手段と、
前記指示手段から特殊再生の指示がなされたときに、複数の前記光ディスクを順に前記特殊再生判別手段に判別させ、前記特殊再生判別手段に前記特殊再生を許可されていると判別された前記光ディスクは、前記管理情報読み込み手段に前記管理情報を読み込ませた後に他の前記光ディスクの判別を前記特殊再生判別手段に行わせ、前記特殊再生判別手段が前記特殊再生を許可されていないと判別された前記光ディスクは、直ちに他の前記光ディスクの判別を行わせ、前記特殊再生を許可されていると判別された前記光ディスクの管理情報に基づいて前記特殊再生を行うように制御する制御手段とを備えたことを特徴とする光ディスク再生装置。
【請求項２】
前記特殊再生判別手段は、前記光ディスクの種別によって特殊再生が許可されているか否かを判別することを特徴とする請求項１記載の光ディスク再生装置。
【請求項３】
予め前記特殊再生を許可する前記光ディスクの種別を記憶しておく記憶手段を備え、前記特殊再生判別手段は前記記憶手段に記憶されている前記光ディスクの種別を基に前記特殊再生が許可されているか否かを判別することを特徴とする請求項２記載の光ディスク再生装置。
【請求項４】
前記情報再生手段は前記特殊再生としてランダム再生を行うことを特徴とする請求項１乃至３記載の光ディスク再生装置。
【請求項５】
前記光ディスクは、波長の異なる複数のレーザ発振器によりそれぞれ再生可能な領域が複数積層されており、前記特殊再生判別手段が前記光ディスクのそれぞれの層に対して前記特殊再生が許可されているか否かを判別することを特徴とする請求項１乃至４記載の光ディスク再生装置。
【請求項６】
複数の前記光ディスクを前記制御手段によって前記特殊再生判別手段に判別を行わせている最中または前記管理情報読み込み手段に前記管理情報の読み込みを行わせている最中に前記指示手段より前記制御手段へ前記特殊再生の開始の指示が再度なされた場合は、前記制御手段は前記判別および前記管理情報の読み込みを中断して、前記管理情報の読み込みが終了している前記光ディスクのみを対象に前記特殊再生を行うように制御することを特徴とする請求項１乃至５記載の光ディスク再生装置。
【請求項７】
前記特殊再生の最中に、前記指示手段により前記制御手段へ前記特殊再生の停止の指示がなされたときに、前記制御手段は、複数の前記光ディスクのうち前記特殊再生判別手段による判別または前記管理情報読み込み手段による前記管理情報の読み込みが終了していない前記光ディスクがある場合は、前記特殊再生判別手段による判別または前記管理情報読み込み手段による前記管理情報の読み込みが終了していない前記光ディスクに対して順に前記特殊再生判別手段に判別および前記管理情報読み込み手段に前記管理情報の読み込みを行わせることを特徴とする請求項６記載の光ディスク再生装置。
【請求項８】
複数種の光ディスクを複数収納し、複数の前記光ディスクから任意に選択された前記光ディスクへレーザ光を照射してその反射光から読取信号を読み取り、前記読み取り信号に基づいて情報を生成し、再生する光ディスク再生方法において、特殊再生の指示がなされたときに、複数の前記光ディスクを順に前記特殊再生を許可されているか否か判別し、前記特殊再生を許可していると判別された前記光ディスクは、前記特殊再生を行うために必要な前記管理情報を読み込ませた後に他の前記光ディスクの判別を行い、前記特殊再生を許可されていないと判別された前記光ディスクは、直ちに他の前記光ディスクの判別を行わせ、前記特殊再生を許可されていると判別された前記光ディスクの管理情報に基づいて前記特殊再生を行うように制御することを特徴とする光ディスク再生方法。
【発明の詳細な説明】
【技術分野】
【０００１】
本発明は、複数の光ディスクを収納し選択して再生するディスクチェンジャーなどの光ディスク再生装置および再生方法に関する。
【背景技術】
【０００２】
従来、光ディスクに記録されている音楽などの情報をランダム再生などの特殊再生を行う場合は、光ディスクの管理情報（例えばＣＤ（Compact Disc）ではＴＯＣ（Table Of Contents）情報）を読み込んでトラック数などの情報を予め得て、その情報を基にランダムに再生を行っていた。また、複数の光ディスクが収納され任意の光ディスクを選択的に再生する所謂ディスクチェンジャー装置でも、例えば特許文献１のように複数のディスク間に跨るランダム再生を行う場合は、予め各ディスクの管理情報を読み込んでからその管理情報を基に複数のディスク間に跨るランダム再生を行っていた。
【特許文献１】特開平６−０２８８３１号公報
【発明の開示】
【発明が解決しようとする課題】
【０００３】
近年、ディスクチェンジャー装置においてもＣＤ以外の光ディスクであるＤＶＤ（Digital Versatile Disc）やＢＤ（Blu-ray Disc）などの複数種の光ディスクを混在されることができるようになっている。ＤＶＤやＢＤなどでは映画などのランダム再生には適さないコンテンツが記録されることが多く、ランダム再生時はランダム再生の対象から外すようにしていることが多い。
【０００４】
しかし、例えばランダム再生の対象外の光ディスクも混在させて一度に複数の光ディスクを装置にセットしてランダム再生を行う場合、特許文献１の方法では各光ディスクへの２回目以降のアクセスには目次情報記憶手段からＴＯＣ情報等の管理情報を読み出すために再生までの時間が短縮されるが、光ディスクがセットされランダム再生を開始する時点では各光ディスクの種別や内容が不明なため、全ての光ディスクに対して種別の判別やＴＯＣ情報等の管理情報などを読み込んでしまう。すなわち、ランダム再生対象外の光ディスクの管理情報なども読み込んでしまうため、ランダム再生の開始まで無駄な時間がかかっていた。
【０００５】
そこで、本発明は、例えば複数種の光ディスクを複数収納し、任意の光ディスクを選択的に再生する光ディスク再生装置において、ランダム再生などの特殊再生が許可されていない光ディスクが混在していても迅速に特殊再生が開始される光ディスク再生装置および再生方法を提供することを課題とする。
【課題を解決するための手段】
【０００６】
上記課題を解決するために、請求項１に記載の発明は、複数種の光ディスクを複数収納し、複数の前記光ディスクから任意に選択された前記光ディスクへレーザ光を照射してその反射光から読取信号を読み取る読取手段と、前記読取信号に基づいて情報を生成する情報生成手段と、を備える光ディスク再生装置において、特殊再生の指示を行う指示手段と、前記読取信号を基に複数の前記光ディスク各々が前記特殊再生を許可されているか否かを判別する特殊再生判別手段と、前記情報生成手段が生成した情報から前記特殊再生を行うために必要な管理情報を読み込む管理情報読み込み手段と、前記指示手段から特殊再生の指示がなされたときに、複数の前記光ディスクを順に前記特殊再生判別手段に判別させ、前記特殊再生判別手段に前記特殊再生を許可されていると判別された前記光ディスクは、前記管理情報読み込み手段に前記管理情報を読み込ませた後に他の前記光ディスクの判別を前記特殊再生判別手段に行わせ、前記特殊再生判別手段が前記特殊再生を許可されていないと判別された前記光ディスクは、直ちに他の前記光ディスクの判別を行わせ、前記特殊再生を許可されていると判別された前記光ディスクの管理情報に基づいて前記特殊再生を行うように制御する制御手段とを備えたことを特徴としている。
【０００７】
請求項８記載の発明は、複数種の光ディスクを複数収納し、複数の前記光ディスクから任意に選択された前記光ディスクへレーザ光を照射してその反射光から読取信号を読み取り、前記読み取り信号に基づいて情報を生成し、再生する光ディスク再生方法において、特殊再生の指示がなされたときに、複数の前記光ディスクを順に前記特殊再生を許可されているか否か判別し、前記特殊再生を許可していると判別された前記光ディスクは、前記特殊再生を行うために必要な前記管理情報を読み込ませた後に他の前記光ディスクの判別を行い、前記特殊再生を許可されていないと判別された前記光ディスクは、直ちに他の前記光ディスクの判別を行わせ、前記特殊再生を許可されていると判別された前記光ディスクの管理情報に基づいて前記特殊再生を行うように制御することを特徴としている。
【発明を実施するための最良の形態】
【０００８】
以下、本発明の一実施形態にかかる光ディスク再生装置を説明する。本発明の一実施形態にかかる光ディスク再生装置は、特殊再生を行う際に制御手段が複数の光ディスクを順に特殊再生判別手段に特殊再生が許可されているか否か判別を行わせ、特殊再生が許可されている光ディスクであれば該光ディスクの管理情報を管理情報読み込み手段に読み込ませた後に他の光ディスクの判別を行わせ、特殊再生が許可されていない光ディスクであれば直ちに他の光ディスクの判別を行わせる。このようにすることにより、複数の光ディスクに跨る特殊再生を行う際に特殊再生を許可しない光ディスクの管理情報を読み込む必要がなくなるため特殊再生を開始するまでの時間が短縮できる。
【０００９】
また、特殊再生判別手段は、光ディスクの種別によって特殊再生が許可されているか否かを判別しても良い。種別の判別は短時間で行うことができるため、特殊再生が許可されているか否かの判別が短時間で行うことができる。
【００１０】
また、特殊再生を許可する光ディスクの種別を記憶しておく記憶手段を備え、特殊再生判別手段は記憶手段に記憶されている光ディスクの種別を基に特殊再生が許可されているか否かを判別してもよい。このようにすることにより、記憶手段の内容を変更することで許可する光ディスクを変更することが容易になる。
【００１１】
また、特殊再生手段に行わせる特殊再生としてランダム再生を行わせてもよい。このようにすることにより、複数の光ディスク間に跨るランダム再生を開始するまでの時間を短縮することができる。
【００１２】
また、波長の異なる複数のレーザ発振器によりそれぞれ再生可能な領域が複数積層されている光ディスクに対して、特殊再生判別手段が光ディスクのそれぞれの層に対して特殊再生が許可されているか否かを判別してもよい。このようにすることにより、波長の異なる複数のレーザ発振器によりそれぞれ再生可能な領域が各々に対して特殊再生を許可されているか否かを判別できるので、波長の異なる複数のレーザ発振器によりそれぞれ再生可能な領域が複数積層されている光ディスクが混在していても特殊再生の開始するまでの時間を短縮することができる。
【００１３】
また、制御手段は、複数の光ディスク全てに対して特殊再生判別手段による判別および特殊再生を許可する光ディスクと判別された場合は管理情報読み込み手段による管理情報の読み込みが終了する前に指示手段より特殊再生開始の指示が再度なされた場合は、特殊再生判別手段による判別や管理情報読み込み手段による管理情報の読み込みを中断して、管理情報の読み込みが終了している光ディスクのみを対象として特殊再生を行わせても良い。このようにすることにより、ユーザを待たせることなく特殊再生を開始できる。
【００１４】
また、制御手段は、特殊再生の最中に、指示手段より特殊再生の停止の指示がなされたときは、全ての光ディスクのうち、特殊再生判別手段による判別や特殊再生を許可すると判別された場合の管理情報読み込み手段による管理情報の読み込みが終了していない光ディスクに対して判別や管理情報の読み込みを行わせても良い。このようにすることにより、全てのディスクの判別を行わずに特殊再生を行った後に再度特殊再生を行う際には、特殊再生の対象範囲を広くすることができる。
【００１５】
また、本発明の一実施形態にかかる光ディスク再生方法は、特殊再生を行う際に複数の光ディスクを順に特殊再生が許可されているか否か判別を行い、特殊再生が許可されている光ディスクであれば該光ディスクの管理情報を読み込んだ後に他の光ディスクの判別を行い、特殊再生が許可されていない光ディスクであれば直ちに他の光ディスクの判別を行い、特殊再生が許可されていると判別された光ディスクの管理情報に基づいて特殊再生を行う。このようにすることにより、複数の光ディスクに跨る特殊再生を行う際に特殊再生を許可しない光ディスクの管理情報を読み込む必要がなくなるため特殊再生を開始するまでの時間が短縮できる。
【実施例１】
【００１６】
本発明の第１の実施例にかかる光ディスク再生装置としての光ディスクチェンジャー１を図１ないし図３を参照して説明する。光ディスクチェンジャー１は、ＣＤ、ＤＶＤ、ＢＤ等の光ディスクを複数収納できその中から任意のディスクを選択的に再生可能な装置である。光ディスクチェンジャー１は図１に示すようにディスクモータ２と、光ピックアップ３と、ＲＦアンプ４と、サーボ信号処理部５と、ドライバ６と、音声／映像信号処理部７と、ＤＡコンバータ８と、音声信号／映像信号出力端子９と、マイクロコンピュータ１０と、ディスクチェンジャー部１２と、操作部１３とを備えている。
【００１７】
ディスクモータ２は、光ディスクチェンジャー１にセットされた光ディスク１１を回転させるためのモータであり、スピンドルモータなどで構成されている。
【００１８】
読み取り手段としての光ピックアップ３は、光ディスク１１に照射する光を発生させる図示しないレーザダイオードや、光ディスク１１上にレーザダイオードからのレーザ光を照射するための対物レンズ、サーボ信号処理部５からの指示によりフォーカスやトラッキングを合わせるために対物レンズを駆動するアクチュエータおよび光ディスク１１から反射された反射光を受ける受光器等を備え、受光器の出力から光ディスク１１から取り出した記録されている映像や音楽などを含むＲＦ信号やフォーカスエラー信号など反射光の強度などから生成される各種制御信号を生成し出力する。
【００１９】
ＲＦアンプ４は、光ピックアップ３から入力される信号を所定の値に増幅し、サーボ信号処理部５へ出力する。
【００２０】
サーボ信号処理部５は、ＲＦアンプ４から入力されるフォーカスエラー信号などの制御信号を基に光ピックアップ３の対物レンズを駆動させてフォーカスおよびトラッキングの制御などを行い、光ディスク１１に記録された情報を正確に読めるようにすることや光ディスク１１の種別としての物理メディアの判別を行う。さらに、光ディスク１１に記録された映像や音楽などを含む信号をアナログ／デジタル変換して音声／映像信号処理部７へ出力する。
【００２１】
ドライバ６は、サーボ信号処理部５から入力された信号を増幅し、ディスクモータ２および光ピックアップ３へ出力する。
【００２２】
情報生成手段としての音声／映像信号処理部７は、サーボ信号処理部５から入力された信号をエラー訂正および復調を行った後に、復調された光ディスク１１の管理情報はマイクロコンピュータ１０へ出力し、音声または映像信号はＤＡコンバータ８へ出力する。
【００２３】
ＤＡコンバータ８は、音声／映像信号処理部７から入力されたデジタル信号をアナログ信号に変換し音声出力端子９ａおよび映像出力端子９ｂから出力する。
【００２４】
特殊再生判別手段、管理情報読み込み手段、制御手段、記憶手段としてのマイクロコンピュータ１０は、ＣＰＵ（Central Processing Unit）と、ＲＡＭ（Random Access Memory）と、ＲＯＭ（Read Only Memory）とを内蔵し、ディスクチェンジャー部１２の制御や、通常再生やランダム再生および停止などの各動作における光ディスクチェンジャー１全体の制御を行う。
【００２５】
ディスクチェンジャー部１２は、ＣＤ、ＤＶＤ、ＢＤの複数種の光ディスク１１を複数収納することができ、マイクロコンピュータ１０からの制御によって収納している光ディスク１１を再生位置にローディングまたは再生位置からディスクチェンジャー部１２内へ収納する。
【００２６】
指示手段としての操作部１３は、ユーザが光ディスクチェンジャー１の再生、ランダム再生、停止などの指示を行うためのボタンや光ディスクチェンジャー１の動作状態を表示するＬＣＤ（Liquid Crystal Display）等を備えている。
【００２７】
次に、図１に示すような構成からなる光ディスクチェンジャー１において、複数のディスク間に跨る特殊再生としてのランダム再生を行う際の動作を図２に示すフローチャートを参照して説明する。図２に示したフローチャートは、マイクロコンピュータ１０のＲＯＭに記憶されている制御プログラムをマイクロコンピュータ１０のＣＰＵが実行することで実現される。ここで特殊再生とはランダム再生のように複数のディスク各々に記憶されているトラック（曲などの所定の単位）を任意の順番に連続して再生する再生方法をいう。
【００２８】
まず、ステップＳ１において、指示手段としての操作部１３からランダム再生モードの指示がマイクロコンピュータ１０に対してされているか否かを判断し、指示されている場合（ＹＥＳの場合）はステップＳ２へ進み、指示されていない場合（ＮＯの場合）は再度判断する。
【００２９】
まず、ステップＳ２において、ディスクチェンジャー部１２から光ディスク１１を１枚選択し、ディスクモータ２により回転され光ピックアップ３に情報を読み取らせることができる再生位置までローディングさせるようにディスクチェンジャー部１２へ指示し、ステップＳ３へ進む。
【００３０】
次に、ステップＳ３において、光ディスク１１に対して光ピックアップ３からのレーザ光を照射光から読み取った読み取り信号としての反射光の強度の違いや、ディスク表面から信号面までの距離の違いなどによりサーボ信号処理部５において光ディスク１１の種別としての物理メディア判別を行いその結果がマイクロコンピュータ１０へ入力されステップＳ４へ進む。物理メディアの判別とは物理メディアとしてＣＤ，ＤＶＤ，ＢＤのどの波長のレーザダイオードで再生可能な光ディスクであるかを判別することであり、すなわち光ディスクの種別の判別である。例えば反射光の強度の違いによる判別法としては、光ピックアップ３の特定のレーザダイオードからレーザ光を照射したときに、その反射光から生成されるＲＦ信号やフォーカスエラー信号等の信号レベルは光ディスクの種別により異なることを利用して、これらＲＦ信号やフォーカスエラー信号等の信号レベルから物理メディアの種別を判別する。
【００３１】
次に、ステップＳ４において、ステップＳ３で判別された光ディスク１１が特殊再生としてのランダム再生を許可する物理メディアか否かを判断して許可された物理メディアであった場合（ＹＥＳの場合）はステップＳ５に進み、許可されていない物理メディアであった場合（ＮＯの場合）はステップＳ６へ進む。どの物理メディアを許可するかは予め記憶手段としてのマイクロコンピュータ１０のＲＯＭに記憶しておき、本ステップではステップＳ３で判別した物理メディア種別をＲＯＭに記憶されている許可する物理メディアの条件と照合することで判断を行っている。例えばＣＤのみをランダム再生を許可する物理メディアとＲＯＭに記憶しておいた場合は、ステップＳ３でＣＤと判別された場合はステップＳ５に進み、ＤＶＤやＢＤと判別された場合はステップＳ６に進む。以降本実施例ではＣＤのみランダム再生を許可された物理メディアとして説明する。
【００３２】
次に、ステップＳ５において、光ピックアップ３のフォーカスやトラッキングなどの各種調整などのセットアップと許可された物理メディアがＣＤだった場合は、その管理情報としてのＴＯＣ情報を光ピックアップ３、ＲＦアンプ４、サーボ信号処理部５および音声／映像信号処理部７を経由してマイクロコンピュータ１０のＲＡＭに読み込みステップＳ６に進む。光ピックアップ３が取り出した情報の一部である管理情報としてのＴＯＣ情報を特殊再生を行うために必要な情報として読み込む。
【００３３】
ここで、ＣＤの管理情報としてのＴＯＣ情報について説明する。ＣＤは図３（ａ）に示すようにリードインエリアとデータエリアとリードアウトエリアから構成され、さらに各エリアは複数のフレームから構成されている。リードインエリアはＴＯＣ情報などのデータエリアに関する情報が記録されており、データエリアは例えば音楽データが記録されており、リードアウトエリアはデータエリアの終端を示す情報が記録されている。各フレームには図３（ｂ）に示すように１４ビットのサブコーディングが記録されている。このサブコーディングを光ディスクチェンジャー１に読み込み音声／映像信号処理部７で１４ビットから８ビットに復調すると、８ビットの各ビットは図３（ｃ）に示すようにＰ，Ｑ，Ｒ，Ｓ，Ｔ，Ｕ，Ｖ，Ｗと符号が振られる。各ビットは単独では用いられず１フレーム分のサブコーディング８ビットを９８フレーム分をひとまとめにしてサブコーディングブロックとして用いる。各フレームのＰ，Ｑ，Ｒ，Ｓ，Ｔ，Ｕ，Ｖ，Ｗの各ビットを通してＰチャンネル、Ｑチャンネル、Ｒチャンネル、Ｓチャンネル、Ｔチャンネル、Ｕチャンネル、Ｖチャンネル、Ｗチャンネルと名付けられており、ＴＯＣ情報はリードインエリアのＱチャンネルに記録されている。ＴＯＣ情報には各トラックの開始時間、最初のトラックナンバー、最後のトラックナンバー、トータル記録時間などの情報が記録されている。
【００３４】
次に、ステップＳ６において、ディスクチェンジャー部１２に収納されている光ディスクが全て判別されたか否かを判断する。全て判別された場合はステップＳ７へ進み、全て判別されていない場合はステップＳ８へ進む。
【００３５】
次に、ステップＳ７において、ランダム再生を実行する。ランダム再生は、ステップＳ４で取得したランダム再生の対象となる各ＣＤのＴＯＣ領域から各トラックの開始時間、最初のトラックナンバー、最後のトラックナンバーなどの情報を得て、それらの情報を基に各トラックの再生順を乱数などによって決定し再生を行う。ランダム再生の対象となる各ＣＤの全てのトラックを再生したら終了する。
【００３６】
ステップＳ８においては、判別や管理情報の読み込みが終了した光ディスクをディスクチェンジャー部１２へ収納し、次の光ディスクをディスクチェンジャー部１２から再生位置までローディングしステップＳ３へ戻る。
【００３７】
本実施例によれば、ＣＤ，ＤＶＤ，ＢＤの複数種の光ディスクを複数収納することができる光ディスクチェンジャー１において光ディスク間に跨るランダム再生を行う場合に、予めランダム再生を許可する物理メディアをマイクロコンピュータ１０のＲＯＭに記憶させ、各ディスクの物理メディア判別を行ったときにランダム再生を許可する物理メディアと判別されたディスクのみランダム再生を行うのに必要なＴＯＣ情報を読み込みランダム再生を行うようにすることで、例えば映画などが記録されていてランダム再生を許可したくないＤＶＤやＢＤなどはＣＤのＴＯＣ情報に相当する管理情報を読み込む必要がなくなるため、ランダム再生を開始する時間を短縮することができる。
【実施例２】
【００３８】
次に、第２の実施例にかかる光ディスク再生装置としての光ディスクチェンジャー１を図４を参照して説明する。なお、前述した第１の実施例と同一部分には、同一符号を付して説明を省略する。
【００３９】
本実施例は、構成およびフローチャートは第１の実施例と同様であるが、ランダム再生を許可する光ディスクをＣＤに加えてＤＶＤ−Ａｕｄｉｏも許可するようにしている。
【００４０】
ＤＶＤ−Ａｕｄｉｏでランダム再生を行うために必要な管理情報を説明するために、図４にＤＶＤの構造を示す。図４（ａ）示すようにリードインエリアとデータエリアとリードアウトエリアから構成され、リードインエリアにはＤＶＤ−ＲＯＭ／−ＲＡＭ／−Ｒ／−ＲＷの種別などが記録されており、データエリアは映像や音声などのコンテンツおよびそれらの管理情報が記録されており、リードアウトエリアにはデータエリアの終端を示す情報が記録されている。データエリアは図４（ｂ）のようなディレクトリ構造になっており、VIDEO-TSディレクトリにはＤＶＤ−Ｖｉｄｅｏ領域の制御情報であるVIDEO-TS.IFOファイルやコンテンツ内容であるVIDEO-TS.VOBファイルなど格納され、AUDIO-TSディレクトリにはＤＶＤ−Ａｕｄｉｏ領域の制御情報であるAUDIO-PP.IFOファイルやAUDIO-TS.IFOファイルおよびコンテンツ内容であるAUDIO-TS.VOBファイルなどが格納されている。したがってＤＶＤ−Ａｕｄｉｏ領域（AUDIO-TSディレクトリ内）にAUDIO-PP.IFOファイルおよびAUDIO-TS.IFOファイルが存在すればＤＶＤ−Ａｕｄｉｏであると判別できる。
【００４１】
次に、図４（ｃ）にＤＶＤ−Ａｕｄｉｏ領域のデータ構造を示す。ＤＶＤ−Ａｕｄｉｏ領域にはMKB（Media Key Block）、SAMG（Simple Audio Manager）、AMG（Audio Manager）などの管理情報およびコンテンツ内容などという構造となっており、このうちAMGにはAMGI（AMG Information）、AMGM-VOBS（Video Object Set for AMG Menu）、AMGI-BUP（Backup AMGI）の各領域があり、ランダム再生に必要なトラック数やグループ数などの情報はAMGI領域に記録されている。
【００４２】
図２のフローチャートにおいてステップＳ３で判別した物理メディア種別がＤＶＤであった場合はステップＳ４において特殊再生としてのランダム再生を許可する物理メディアであると判断しステップＳ５に進み、光ピックアップ３のセットアップ後データエリアの管理情報としてのAUDIO-TS.IFOファイルを検索して読み込みAUDIO-TS.IFOファイルを読み込めた場合はＤＶＤ−ＡｕｄｉｏであるとしてAMGI領域からランダム再生に必要な情報を取得する。AUDIO-TS.IFOファイルが無い場合は以降の読み込みは行わずにステップＳ６へ進み、当該ディスクはランダム再生に必要な情報を得られないのでランダム再生の対象から外す。
【００４３】
本実施例によれば、ＣＤに加えてＤＶＤ−Ａｕｄｉｏもランダム再生を許可する光ディスクとすることで、複数種に跨るランダム再生を行うことができる。また、ＢＤの場合は第１の実施例と同様に管理情報を読み込む必要がないので複数の光ディスクにＢＤが含まれる場合はランダム再生を開始する時間を短縮することができる。
【実施例３】
【００４４】
次に、第３の実施例にかかる光ディスク再生装置としての光ディスクチェンジャー１を図５を参照して説明する。なお、前述した第１および第２の実施例と同一部分には、同一符号を付して説明を省略する。
【００４５】
本実施例は、構成は第１および第２の実施例と同様であるが、ＣＤ層とＢＤ層またはＤＶＤ層とＢＤ層が１枚の光ディスクに積層されたハイブリッドディスクの再生が可能となっている。そのためマイクロコンピュータ１０の制御プログラムの一部が変更されている。図５に本実施例における複数のディスク間に跨るランダム再生を行う際のフローチャートを示す。
【００４６】
まず、ステップＳ１およびステップＳ２は第１の実施例と同様である。ステップＳ３´は、光ディスク１１の物理メディア判別を行うことは第１の実施例と同様であるが、ハイブリッドディスクの場合は各層について物理メディア判別を行いステップＳ１１へ進む。ハイブリッドディスクの物理メディアの判別についても、第１の実施例と同様にレーザー光の反射光から生成されるＲＦ信号やフォーカスエラー信号等のレベルによって判別を行う。
【００４７】
次に、ステップＳ１１はステップＳ３´で判別した光ディスク１１がハイブリッドディスクか否かを判断し、ハイブリッドディスクである場合はステップＳ１２へ進み、ハイブリッドディスクでない場合はステップＳ４へ進む。ハイブリッドディスクか否かの判断は、サーボ信号処理部５においてレーザ光の反射光が複数観測された場合に各反射光の強度の差が所定の値以上あるかなどの方法により判断する。
【００４８】
次に、ステップＳ４〜ステップＳ８は第１の実施例と同様である。ステップＳ１２においては、ステップＳ１１でハイブリッドディスクであると判断された光ディスク１１に特殊再生を許可する物理メディア層があるか否かを判断し許可する物理メディア層がある場合はステップＳ１３へ進み、許可する物理メディア層が無い場合はステップＳ６へ進む。どの物理メディア層を許可するかは予めマイクロコンピュータ１０のＲＯＭに記憶しておき、本ステップではステップＳ３´で判別した物理メディア層種別をＲＯＭに記憶されている許可不許可の条件と照らし合わせることで判断を行っている。
【００４９】
次に、ステップＳ１３においては、特殊再生を許可する物理メディア層に対して光ピックアップ３のフォーカスやトラッキングなどの各種調整などのセットアップと許可された物理メディア層の管理情報としてＣＤ層の場合はＴＯＣ情報を光ピックアップ３、ＲＦアンプ４、サーボ信号処理部５および音声／映像信号処理部７を経由してマイクロコンピュータ１０のＲＡＭに読み込みステップＳ６に進む。
【００５０】
本実施例によれば、ＣＤ層とＢＤ層またはＤＶＤ層とＢＤ層が１枚の光ディスクに積層されたハイブリッドディスクを複数収納することができる光ディスクチェンジャー１において光ディスク間に跨るランダム再生を行う場合に、予めランダム再生を許可する物理メディアおよび物理メディア層をマイクロプログラム１０のＲＯＭに記憶させ、各光ディスクの各層の物理メディア層の判別を行ったときにランダム再生を許可する物理メディア層と判別された光ディスクの物理メディア層のみランダム再生を行うのに必要なＴＯＣ情報を読み込みランダム再生を行うようにすることで、例えば映画などが記録されていてランダム再生を許可したくないＤＶＤ層やＢＤ層などはＣＤ層のＴＯＣに相当する管理情報を読み込む必要がなくなるため、ランダム再生を開始する時間を短縮することができる。
【００５１】
なお、上述した実施例においてフローに沿って全ての光ディスク１１の判別およびＴＯＣ等の読み込みが終了する前にユーザが操作部１３から、ランダム再生を開始するような指示をマイクロコンピュータ１０に与えたときは、判別およびＴＯＣ情報等の読み込みを中断し、判別およびＴＯＣ情報等の読み込みが終了している光ディスク１１のみを対象としてランダム再生を行っても良い。また、判別およびＴＯＣ情報等の読み込みを中断してランダム再生を行い、その後ランダム再生が停止されたときは、判別およびＴＯＣ情報等の読み込みが終了していない光ディスク１１の判別およびＴＯＣ情報等の読み込みを行っても良い。
【００５２】
なお、上述した実施例ではＣＤ，ＤＶＤ，ＢＤおよびＣＤ層とＢＤ層、ＤＶＤ層とＢＤ層の積層された光ディスクを再生するディスクチェンジャーに関して説明したが、再生する光ディスクの種別はこれらに限らず、ＨＤ−ＤＶＤやＨＤ−ＤＶＤ層および上述した組合せ以外のハイブリッドディスクを再生する再生装置に適用可能である。
【００５３】
また、上述した実施例では特殊再生としてランダム再生を挙げたが、ランダム再生に限らず各トラックの先頭の数秒を順に再生するハイライトスキャンと呼ばれる再生など、複数のディスクの記憶されているトラックを任意の順番に連続して行うような再生に適用可能である。
【００５４】
また、上述した実施例では特殊再生を許可する記憶手段としてマイクロコンピュータ１０のＲＯＭを用いていたが、例えばフラッシュメモリなどの書き替え可能な記憶素子を用いても良い。このようにすることで、用途に応じて特殊再生を許可する光ディスクを変更することが容易になる。
【００５５】
前述した実施例によれば、以下の光ディスク再生装置および再生方法が得られる。
【００５６】
（付記１）複数種の光ディスク１１を複数収納し、複数の光ディスク１１から任意に選択された光ディスク１１へレーザ光を照射してその反射光から読取信号を読み取る光ピックアップ３と、読み取り信号に基づいて情報を生成する音声／映像信号処理部７とを備える光ディスクチェンジャー１において、ランダム再生の指示を行う操作部１３と、読取信号を基に複数の光ディスク１１各々がランダム再生を許可されているか否かを判別するマイクロコンピュータ１０と、音声／映像信号処理部７が生成した情報からランダム再生を行うために必要な管理情報を読み込むマイクロコンピュータ１０と、操作部１３からランダム再生の指示がなされたときに、複数の光ディスク１１を順にマイクロコンピュータ１０に判別させ、マイクロコンピュータ１０にランダム再生を許可されていると判別された光ディスク１１は、マイクロコンピュータ１０に管理情報を読み込ませた後に他の光ディスク１１の判別をマイクロコンピュータ１０に行わせ、マイクロコンピュータ１０がランダム再生を許可されていないと判別された光ディスク１１は、直ちに他の光ディスク１１の判別を行わせ、ランダム再生を許可されていると判別された光ディスク１１の管理情報に基づいてランダム再生を行うように制御するマイクロコンピュータ１０とを備えたことを特徴とする光ディスクチェンジャー１。
【００５７】
この光ディスクチェンジャー１によれば、複数の光ディスク１１に跨るランダム再生を行う際にランダム再生を許可しない光ディスク１１の管理情報を読み込む必要がなくなるためランダム再生を開始するまでの時間が短縮できる。
【００５８】
（付記２）複数種の光ディスク１１を複数収納し、複数の前記光ディスク１１から任意に選択された光ディスク１１へレーザ光を照射してその反射光から読取信号を読み取り、読み取り信号に基づいて情報を生成し、情報を再生する光ディスク再生方法において、ランダム再生の指示がなされているときに、複数の光ディスク１１を順にランダム再生を許可されているか否か判別し、ランダム再生を許可していると判別された光ディスク１１は、ランダム再生を行うために必要な管理情報を読み込ませた後に他の光ディスク１１の判別を行い、ランダム再生を許可されていないと判別された光ディスク１１は、直ちに他の光ディスク１１の判別を行わせ、ランダム再生を許可されていると判別された光ディスク１１の管理情報に基づいてランダム再生を行うように制御することを特徴とする光ディスク再生方法。
【００５９】
この光ディスク再生方法によれば、複数の光ディスク１１に跨るランダム再生を行う際にランダム再生を許可しない光ディスク１１の管理情報を読み込む必要がなくなるためランダム再生を開始するまでの時間が短縮できる。
【００６０】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００６１】
【図１】本発明の第１、第２および第３の実施例にかかる光ディスクチェンジャーのブロック図である。
【図２】図１に示された光ディスクチェンジャーの第１の実施例におけるランダム再生動作を示したフローチャートである。
【図３】ＣＤのデータ構造の説明図である。
【図４】ＤＶＤのデータ構造の説明図である。
【図５】図１に示された光ディスクチェンジャーの第３の実施例におけるランダム再生動作を示したフローチャートである。
【符号の説明】
【００６２】
１        光ディスクチェンジャー（光ディスク再生装置）
３        光ピックアップ（読取手段）
７        音声／映像信号処理部（情報生成手段）
１０      マイクロコンピュータ（特殊再生判別手段、管理情報読み込み手段、制御手段、記憶手段）
１１      光ディスク
１３      操作部（指示手段）
Ｓ３      特殊再生を許可する物理メディアか否か判別（特殊再生判別手段）
Ｓ４      セットアップおよび管理情報リード（管理情報読み出し手段）
Ｓ３´    特殊再生を許可する物理メディアか否か判別（特殊再生判別手段）
Ｓ１２    特殊再生を許可する物理メディア層があるか否か判別（特殊再生判別手段）
Ｓ１３    特殊再生を許可する物理メディア層のみセットアップおよび管理情報リード（特殊再生判別手段）
【図１】
2009059392.tif 000003
【図２】
2009059392.tif 000004
【図３】
2009059392.tif 000005
【図４】
2009059392.tif 000006
【図５】
2009059392.tif 000007